(57)【特許請求の範囲】
【請求項１】
入力データを所要の記録媒体に記録する記録手段と、
少なくともそのうちの１つが上記記録手段による入力データの記録に関する動作とされる複数の目的動作について、個々の目的動作ごとに、その目的動作を実行させるために必要なコマンドの正しい入力順序を表す目的達成コマンド情報が記憶された記憶手段と、
制御手段とを備え、
上記制御手段は、
ユーザ操作に基づいて上記個々の目的動作の中からひとつの目的動作を選択する目的動作選択処理と、
ユーザ操作に基づく入力コマンドを蓄積することで、ユーザ入力コマンド情報を生成するユーザ入力コマンド情報生成処理と、
上記目的動作選択処理により選択した目的動作についての上記目的達成コマンド情報と上記ユーザ入力コマンド情報生成処理により生成したユーザ入力コマンド情報との対比結果についての通知が行われるように制御を行う通知制御処理と
を含む操作訓練処理を、操作訓練モードへの切り替えを指示する所定操作が行われたことに応じて実行すると共に、
上記訓練モードへの切り替え後におけるコマンド入力に伴い上記記録媒体に記録されるデータを上記記録媒体上の他の記録データと分けて管理するためのデータ管理情報を生成する管理情報生成処理を実行する
訓練装置。
【請求項２】
請求項１に記載の訓練装置において、
上記目的動作のうち少なくとも１つの目的動作が、上記記録媒体に記録されたデータについての編集に関する動作とされる。
【請求項３】
請求項１に記載の訓練装置において、
上記記録媒体に記録されたデータについて再生を行う再生手段をさらに備え、
上記目的動作のうち少なくとも１つの目的動作が、上記記録媒体に記録されたデータについての再生に関する動作とされる。
【請求項４】
入力データを所要の記録媒体に記録する記録手段と、少なくともそのうちの１つが上記記録手段による入力データの記録に関する動作とされる複数の目的動作について、個々の目的動作ごとに、その目的動作を実行させるために必要なコマンドの正しい入力順序を表す目的達成コマンド情報が記憶された記憶手段とを有する訓練装置における訓練方法であって、
ユーザ操作に基づいて上記個々の目的動作の中からひとつの目的動作を選択する目的動作選択ステップと、
ユーザ操作に基づく入力コマンドを蓄積することで、ユーザ入力コマンド情報を生成するユーザ入力コマンド情報生成ステップと、
上記ユーザ入力コマンド情報生成ステップにより生成したユーザ入力コマンド情報と、上記目的動作選択ステップにより選択した目的動作についての目的達成コマンド情報との対比結果についての通知が行われるように制御を行う通知制御ステップと
を含む操作訓練ステップを、操作訓練モードへの切り替えを指示する所定操作が行われたことに応じて実行すると共に、
上記訓練モードへの切り替え後におけるコマンド入力に伴い上記記録媒体に記録されるデータを上記記録媒体上の他の記録データと分けて管理するためのデータ管理情報を生成する
訓練方法。
【発明の詳細な説明】
【技術分野】
【０００１】
本発明は、ユーザに装置の操作についての訓練を行わせるための訓練装置とその方法に関する。
【背景技術】
【０００２】
【特許文献１】特開２００２−１８２８１３号公報
【特許文献２】特開２００６−１３９１６３号公報
【０００３】
従来より、テレビ放送番組等の映像コンテンツを記憶したり、また記憶した映像コンテンツを再生する映像記録再生装置が広く普及している。この映像記録再生装置は、近年のコンピュータ技術の進歩により高性能となってきており、上記したテレビ放送番組等の記憶、再生機能以外にも、映像コンテンツの編集を行う機能など、多彩な機能を持つ機器が普及している。
【発明の開示】
【発明が解決しようとする課題】
【０００４】
上記のように映像記録再生装置が多彩な機能を持つことで、ユーザは映像コンテンツをより楽しむことができる。
しかし、一方で映像記録再生装置が多機能となるのに伴い、ユーザがその機能を使いこなすための操作も複雑なものとなってきている。つまり、上記映像記録再生装置を始めとした近年のＡＶ家電機器では、複雑な操作を覚えるための余計な負担をユーザにかける傾向となってきており、その改善が望まれている。
【課題を解決するための手段】
【０００５】
そこで本発明は上記した課題を考慮して、訓練装置として以下のように構成することとした。
つまり、本発明の訓練装置は、入力データを所要の記録媒体に記録する記録手段と、少なくともそのうちの１つが上記記録手段による入力データの記録に関する動作とされる複数の目的動作について、個々の目的動作ごとに、その目的動作を実行させるために必要なコマンドの正しい入力順序を表す目的達成コマンド情報が記憶された記憶手段と、制御手段とを備える。
そして、上記制御手段が、
ユーザ操作に基づいて上記個々の目的動作の中からひとつの目的動作を選択する目的動作選択処理と、
ユーザ操作に基づく入力コマンドを蓄積することで、ユーザ入力コマンド情報を生成するユーザ入力コマンド情報生成処理と、
上記目的動作選択処理により選択した目的動作についての上記目的達成コマンド情報と上記ユーザ入力コマンド情報生成処理により生成したユーザ入力コマンド情報との対比結果についての通知が行われるように制御を行う通知制御処理と
を含む操作訓練処理を、操作訓練モードへの切り替えを指示する所定操作が行われたことに応じて実行すると共に、
上記訓練モードへの切り替え後におけるコマンド入力に伴い上記記録媒体に記録されるデータを上記記録媒体上の他の記録データと分けて管理するためのデータ管理情報を生成する管理情報生成処理を実行するものである。
【０００６】
上記構成によれば、実際にユーザにより入力されたコマンドの情報と、目的動作を実行させるための正しいコマンドの情報との対比結果をユーザに通知することができる。つまり、このような仕組みにより、目的動作を実行させるための正しい操作手順をユーザに覚えさせるための操作訓練を行うことが可能となる。
【発明の効果】
【０００７】
上記のようにして本発明によれば、実際にユーザによって入力されたコマンドの情報と、目的動作を実行させるための正しいコマンドの情報との対比結果をユーザに通知することで、目的動作実現のための正しい操作手順をユーザに覚えさせるための操作訓練を行うことができる。
このような操作訓練を通して、ユーザは、説明書等を読まずとも目的動作を実行させるための正しい操作手順を容易に覚えることができる。つまりこの点で、覚えるべき操作が複雑である場合にも、ユーザの負担は大幅に軽減することができる。
【０００８】
また、上記本発明によれば、１つの目的動作のみではなく、複数の目的動作についての操作訓練をユーザに行わせることができる。
また本発明によれば、訓練モードへの切り替え後におけるコマンド入力に伴い記録媒体に記録されるデータを上記記録媒体上の他の記録データと分けて管理するためのデータ管理情報を生成することで、通常使用時のデータと操作訓練時のデータとが混在して記録されてしまう場合に生じる虞のあるユーザの混乱を効果的に防止できる。
【発明を実施するための最良の形態】
【０００９】
以下、発明を実施するための最良の形態（以下実施形態とする）について説明していく。
[訓練装置の構成]
図１は、本発明の訓練装置の一実施形態としての、映像記録再生装置１０の内部構成を示すブロック図である。
図示するように映像記録再生装置１０は、入力端子Ｔin、チューナ部１１、復調部１２、デマルチプレクサ（ＤＥＭＵＸ）１３、ＭＰＥＧデコーダ１４、映像信号処理部１５、映像出力端子Ｔout、ＨＤＤ（Hard Disc Drive）１７、メディアドライブ１８、システムコントローラ１９、操作部２０、受光部２１、メモリ２３、映像編集部２４を有する。
この映像記録再生装置１０は、例えば地上デジタル放送などのデジタルテレビジョン（ＴＶ）放送を受信可能に構成される。また、この映像記録再生装置１０に対しては付属のリモートコントローラ２２による操作入力を行うことが可能とされている。
【００１０】
なお、本発明はユーザの操作訓練に係る発明であるが、本実施の形態では、操作訓練を映像記録再生装置１０の外部のディスプレイ装置１６の画面を使用して行うものである。この点から、映像記録再生装置１０における音声出力系の構成については特に重要ではなく、その図示による説明は省略する。映像記録再生装置１０の音声出力系の構成については実際の実施形態に応じて適宜適切なものが選択されればよい。
【００１１】
図１において、デジタルＴＶ放送信号は外部のアンテナ１００から入力端子Ｔinを介して映像記録再生装置１０に入力される。
そして、上記入力端子Ｔinを介して入力されたＴＶ放送信号は、チューナ部１１に入力される。
チューナ部１１は、後述するシステムコントローラ１７からの選局情報に応じたキャリアを受信する。
【００１２】
復調部１２は、上記チューナ部１１により受信されたキャリアについて、受信放送波の種類に応じた所定の復調処理、例えば地上デジタル放送であればＯＦＤＭ（Orthogonal Frequency Division Multiplexing）復調処理を行うことで、選局指示された放送局の放送コンテンツ（番組）の含まれるトランスポートストリーム（ＴＳ）を得る。
【００１３】
デマルチプレクサ（ＤＥＭＵＸ）１３は、上記復調部１２にて取得されたＴＳ内から目的とする１つのプログラム（選局指示された放送局が放送する番組）についてのＴＳパケットとして、ＭＰＥＧ−２（Moving Pictures Experts Group-2）方式により圧縮されたビデオデータのＴＳパケットとオーディオデータのＴＳパケットを得る。
【００１４】
そして、デマルチプレクサ１３にて得られたビデオデータとオーディオデータのＴＳパケットは、ＭＰＥＧデコーダ１４によりデコード（伸張）され、デコード後のビデオデータは、映像信号処理部１５にて所要の映像信号処理が施された後、映像出力端子Ｔoutを介して外部のディスプレイ装置１６に供給される。
ディスプレイ装置１６は、例えば液晶パネルやプラズマディスプレイパネルなどとされる表示パネル部１６ａ（図１での図示は省略）と、該表示パネル部１６ａを表示駆動する表示駆動部とを備え、上記のようにして映像出力端子Ｔoutを介して供給されるビデオデータに基づく映像表示を行う。
【００１５】
また、上記デマルチプレクサ１３にて得られた上記ＴＳパケットは、後述するシステムコントローラ１９の制御により、ＨＤＤ１７、或いはメディアドライブ１８に供給され、ＭＰＥＧ−２ファイルとして記録される。
すなわち、システムコントローラ１９は、リモートコントローラ２２（或いは操作部２０）からの操作入力により、ＨＤＤ１７に対する録画指示が行われたことに応じて、デマルチプレクサ１３にて得られたＴＳパケット（放送コンテンツ）がＨＤＤ１７に供給されてＭＰＥＧ−２ファイルとして記録されるように制御を行う。また、メディアドライブ１８に対する録画指示が行われた場合は、デマルチプレクサ１３にて得られたＴＳパケットをメディアドライブ１８に供給させ、該メディアドライブ１８に装填された記録媒体にＭＰＥＧ−２ファイルとして記録させるように制御を行う。
本例の場合、上記メディアドライブ１８としては、ＤＶＤ(Digital Versatile Disc)、ＢＤ(Blu-ray Disc：登録商標)に対する記録／再生を行うことが可能に構成されている。
【００１６】
また、ユーザによりＨＤＤ１７又はＤＶＤやＢＤに記録されているＭＰＥＧ−２ファイルの再生を指示する操作入力が行われた場合、システムコントローラ１９の制御により、ＨＤＤ１７、又はメディアドライブ１８内の記録媒体からＭＰＥＧ−２ファイルが読み出され、読み出されたＭＰＥＧ−２ファイルがＭＰＥＧデコーダ１４へ供給される。
【００１７】
映像信号処理部１５は、上述ようにしてＭＰＥＧデコーダ１４から供給されるビデオデータについて所要の映像信号処理を施して映像出力端子Ｔoutに供給するようにされている。これにより、上記再生操作に応じては、再生指示されたＭＰＥＧ−２ファイルに基づく映像が外部のディスプレイ装置１６にて表示されることになる。
【００１８】
また、この場合、映像信号処理部１５は、ディスプレイ装置１６の画面上で各種の情報が表示されるようにするための処理も行う。具体的に、映像信号処理部１５は、システムコントローラ１９からの指示に応じ、供給された表示データがディスプレイ装置１６の画面上に所定のレイアウトで表示されるようにするためのビデオデータを生成し、これを映像出力端子Ｔoutに供給する。
【００１９】
映像編集部２４は、システムコントローラ１９からの指示に基づき、例えばＨＤＤ１７やメディアドライブ１８内の記録媒体から読み出されたＭＰＥＧ−２ファイルについての各種映像編集処理を行う。例えばこの映像編集部２４にて行う映像編集処理としては、ＣＭカットなどの所定区間の映像のカットや、チャプタの付与・消去などを挙げることができる。
なお、ここでは映像編集処理を上記映像編集部２４としてのハードウエアにより行う構成を例示しているが、映像編集処理は、例えばシステムコントローラ１９によるソフトウエア処理で行うようにすることもできる。
【００２０】
システムコントローラ１９は、ＣＰＵ（Central Processing Unit）、ＲＯＭ（Read Only Memory）、ＲＡＭ（Random Access Memory）を備えたマイクロコンピュータて構成され、起動されたプログラムに基づく演算処理、制御処理を実行することで、映像記録再生装置１０の全体制御を行う。
【００２１】
システムコントローラ１９に対しては、図示するように操作部２０が接続されている。操作部２０には、映像記録再生装置１０の筐体外部に表出するようにして設けられた図示されない各種操作子が設けられる。操作部２０は、これら各操作子ごとの操作入力情報をシステムコントローラ１９に対して供給する。
また、システムコントローラ１９に対しては、受光部２１が接続されている。この受光部２１は、例えばフォトトランジスタなどによる赤外線信号の受光素子を備え、図中のリモートコントローラ２２から送信された赤外線信号を受光する。システムコントローラ１９は上記受光部２１による受光信号に基づき、リモートコントローラ２２からの操作入力情報を取得する。
【００２２】
システムコントローラ１９は、上記操作部２０からの操作入力情報、又は上記受光部２１を介して取得した操作入力情報に基づく演算処理や各部の制御処理を行う。これにより、映像記録再生装置１０においてユーザの指示に応じた動作が実行されるようになっている。
【００２３】
また、システムコントローラ１９に対しては、メモリ２３が接続されている。このメモリ２３は、例えばフラッシュメモリ等の不揮発性メモリとされ、各種データの格納に用いられる。
また、メモリ２３には、操作訓練プログラム２３ａが格納されている。この操作訓練プログラム２３ａは、以下において説明する操作訓練に係る実施の形態としての動作を実現するために行われるべき処理動作をシステムコントローラ１９に実行させるためのプログラムとなる。
【００２４】
[操作訓練]
上記により説明した構成を有する映像記録再生装置１０においては、ユーザに操作訓練を行わせるための動作が行われる。以下、操作訓練にあたり映像記録再生装置１０が実行する実施の形態としての動作について説明していく。
なお、以下では、操作訓練を行うにあたってユーザが行うべき操作の手順についても併せて説明していく。
【００２５】
先ず、操作訓練を行うとした場合、ユーザは、映像記録再生装置１０を操作訓練モードに移行させる必要がある。この場合、操作訓練モードへの移行は、画面上の「操作訓練」の機能項目を指定することで行われる。
具体的に、この場合の映像記録再生装置１０は、自らが実行可能な各種の機能動作をユーザに提示するための、機能メニュー画面の表示を行うことが可能とされている。そして、この機能メニュー画面における機能項目の１つとして、上記「操作訓練」の機能項目を表示するようにされている。
ユーザは、上記機能メニュー画面の表示状態において、上記「操作訓練」の項目を選択・決定する操作を行うことで、映像記録再生装置１０に操作訓練のための動作の実行開始指示を行うことができる。つまりこれにより、操作訓練モードへの移行を指示することができる。
【００２６】
上記機能メニュー画面にて「操作訓練」の項目が選択・決定され、操作訓練モードへの移行が指示されたことに応じ、映像記録再生装置１０は、ディスプレイ装置１６の表示パネル１６ａ上に、次の図２に示されるような操作訓練メニュー画面を表示させる。
この図２に示す操作訓練メニュー画面は、ユーザに操作訓練のジャンルを指定させるための画面となる。
ここで、図１の説明からも理解されるように、本実施の形態の映像記録再生装置１０は、映像の記録機能（録画機能）、編集機能、及び再生機能を有している。本実施の形態では、これら３つの機能についての操作訓練を行うことが可能とされている。これに応じ、図２の操作訓練メニュー画面には、「録画訓練」ボタン３１ａ、「編集訓練」ボタン３１ｂ、「再生訓練」ボタン３１ｃを表示するものとしている。さらに、これらの各ボタンを選択するためのカーソル３０も表示するものとしている。
【００２７】
図２に示す操作訓練メニュー画面において、ユーザは、例えばリモートコントローラ２２に設けられた十字キーなど所定のキーを操作することで、カーソル３０を移動させて各ボタン３１の選択を行うことができる。
そして、カーソル３０により所要のボタン３１を選択した状態で、例えば決定キーなど所定のキー操作を行うことで、選択したボタン３１が示す操作訓練のジャンル（録画／編集／再生）を指定することができる。
【００２８】
図３は、上記操作訓練メニュー画面においてジャンル指定が行われたことに応じて表示パネル部１６ａに表示される画面の例を示している。
図３（ａ）は、上記操作訓練メニュー画面にて「録画訓練」のジャンルが指定されたことに応じて表示される録画操作訓練メニュー画面を示し、図３（ｂ）は「編集訓練」のジャンルが指定されたことに応じて表示される編集操作訓練メニュー画面を示し、図３（ｃ）は「再生訓練」のジャンルが指定されたことに応じて表示される再生操作訓練メニュー画面を示している。
【００２９】
これら各操作訓練メニュー画面は、指定されたジャンルに属する操作訓練のうちから、任意の操作訓練を指定させるための画面となる。
具体的に、図３（ａ）に示される録画操作訓練メニュー画面には、操作訓練の項目として、「日時を指定して録画予約」「番組表で録画予約」が表示される。
また、図３（ｂ）に示される編集操作訓練メニュー画面には、操作訓練の項目として「チャプターを消去」「サムネイルを抽出」が表示され、図３（ｃ）に示される再生操作訓練メニュー画面には「ＤＶＤ／ＢＤを再生」「録画した映像の表示」が表示される。
【００３０】
ここで、本発明において、「操作訓練」は、ユーザが「或る目的とする動作を装置に実行させるために必要な操作」を覚えるために行うものであると定義することができる。つまり、操作訓練は、目的動作ごとに行われるものであると捉えることができる。
従ってこの点からすると、図３に示される各操作訓練メニュー画面に表示される各操作訓練の項目は、目的動作と１対１の関係にあることになる。具体的に、例えば「日時を指定して録画予約」の操作訓練項目については、指定日時情報に基づく録画予約動作という１つの目的動作を実行させるための操作訓練項目となっている。また、「番組表で録画予約」の操作訓練項目としては、番組表にて指定された番組についての録画予約動作という１つの目的動作を実行させるための操作訓練項目となる。
このような観点から、以下、図３の操作訓練メニュー画面にて表示される各操作訓練の項目については、目的動作と等化なものとして扱う。具体的には、例えば『「日時を指定して録画予約」の目的動作』や『「番組表で録画予約」の目的動作』のようにして扱う。
また、この考えに基づけば、図３に示される各操作訓練メニュー画面は、指定（選択）されたジャンルに属する目的動作のうちから、ユーザに任意の目的動作を指定（選択）させるための画面であると言い換えることもできる。
【００３１】
図３において、各操作訓練メニュー画面では、操作訓練の項目（目的動作）がボタンとして表示される。つまり、図３（ａ）の録画操作訓練メニュー画面では「日時を指定して録画予約」ボタン３２ａ、「番組表で録画予約」３２ｂが表示される。また、図３（ｂ）の編集操作訓練メニュー画面では「チャプタを消去」ボタン３３ａ、「サムネイルを抽出」ボタン３３ｂが表示され、図３（ｃ）の再生操作訓練メニュー画面では「ＤＶＤ／ＢＤを再生」ボタン３４ａ、「録画した映像を再生」ボタン３４ｂが表示される。
さらに、図３における各操作訓練メニュー画面には、「戻る」ボタン３５も表示されることになる。
【００３２】
これら各操作訓練メニュー画面において、この場合もユーザは、例えば上述した十字キーなどの所定のキーの操作を行うことで、カーソル３０を移動させて各ボタンの選択を行うことができる。そして、カーソル３０により所要のボタンが選択された状態で上述の決定キーなどの所定のキーの操作を行うことで、選択されたボタンが表す項目の指定を行うことができる。
【００３３】
映像記録再生装置１０は、図３に示される操作訓練メニュー画面において何れかの操作訓練項目の指定が行われた場合は、コマンドの入力受け付けを開始し、指定された項目についての操作訓練をユーザに行わせる。
なお、図３に示される各操作訓練メニュー画面において、「戻る」ボタン３５が指定されたことに応じては、表示パネル部１６ａの表示状態を、図２に示した操作訓練メニュー画面の表示状態に戻すことになる。
【００３４】
図４〜図９は、上記のような操作訓練項目（目的動作）についての指定が行われた後に行われる動作について説明するための図である。
図４は「日時を指定して録画予約」が指定された場合の動作例について説明するための図であり、図５は「番組表で録画予約」が指定された場合の動作例について説明するための図である。以下同様に、図６は「チャプタを消去」、図７は「サムネイルを抽出」、図８は「ＤＶＤ／ＢＤを再生」、図９は「録画した映像を再生」の動作例についてそれぞれ説明するための図となっている。
【００３５】
先ず、本実施の形態において、操作訓練を行うにあたっては、図４〜図９の各（ａ）図、（ｂ）図、（ｃ）図に示されるような、目的達成コマンド情報、訓練終了コマンド、ユーザ入力コマンド情報の各情報を用いることになる。
各（ａ）図に示す目的達成コマンド情報は、指定された目的動作を映像記録再生装置１０に実行させるために必要なコマンドの正しい入力順序を表す情報となる。
また、各（ｂ）に示す訓練終了コマンドの情報は、操作訓練の終了タイミングを自動判別するために用いる情報となる。
また、各（ｃ）図に示すユーザ入力コマンド情報は、実際のユーザ操作により入力されたコマンドを蓄積して生成される情報となる。
【００３６】
上記目的達成コマンド情報、及び訓練終了コマンドの情報は、例えばメモリ２３に予め格納される情報となる。確認のために述べておくと、これら目的達成コマンド情報、及び訓練終了コマンドの情報は、各目的動作（各操作訓練項目）と１対１で対応づけられて格納される情報となる。
また、上記ユーザ入力コマンド情報は、システムコントローラ１９が、ユーザ操作に基づく入力コマンドの情報を、例えばメモリ２３に蓄積して生成される情報となる。
【００３７】
なお、本実施の形態の場合、「コマンド」は、操作部２０や受光部２１からの操作入力情報のみに相当するものである場合もあれば、表示パネル部１６ａの画面上に表示されたボタンやアイコン等の選択・決定操作に相当するものである場合もある。
例えば一例として、図４（ｃ）に示される「日時予約」ボタン指定コマンドの入力は、画面上に表示された「日時予約」ボタンがカーソルにより選択・決定（指定）されることで行われるものである。また、「予約確定」ボタン指定コマンドの入力は、画面上に表示された「予約確定」ボタンがカーソルにより選択・決定されることで行われるといったものである。
なお、この説明からも理解されるように、以下「〜」ボタン指定コマンドと言ったときは、そのコマンドは、画面上に表示される該当するボタンをカーソルにより選択・決定する操作と等化なものとなる。
【００３８】
ここで、各操作訓練項目ごと（各目的動作ごと）に、目的達成コマンド情報、及び訓練終了コマンドの情報内容を見ていく。
先ず、図４に示される「日時を指定して録画予約」の場合の目的達成コマンド情報の内容としては、図４（ａ）に示されるように、「日時予約」ボタン指定コマンド、「日時設定」ボタン指定コマンド、「予約確定」ボタン指定コマンドが同順で格納されたものとなる。
また、この場合、訓練終了コマンドとしては、図４（ｂ）に示すように「予約確定」ボタン指定コマンドとなる。
【００３９】
また、図５に示される「番組表で録画予約」の場合の目的達成コマンド情報の内容としては、図５（ａ）に示されるように「番組表を表示」ボタン指定コマンド、番組表内の番組を指定するコマンド、「予約確定」ボタン指定コマンドが同順で格納されたものとなる。なお、「番組表内の番組を指定するコマンド」は、番組表内に表示される番組のアイコンのうち、所要の番組のアイコンが選択・決定されることに相当するものである。
また、この場合の訓練終了コマンドとしては、図５（ｂ）に示されるように「予約確定」ボタン指定コマンドとなる。
【００４０】
また、図６に示される「チャプターを消去」の場合の目的達成コマンド情報の内容は、図６（ａ）に示されるように、録画した映像のタイトルを指定するコマンド、「オプション」ボタン指定コマンド、「編集」ボタン指定コマンド、「チャプター消去」ボタン指定コマンド、チャプターを指定するコマンド、「確定」ボタン指定コマンド、「はい」ボタン指定コマンドが同順で格納されたものとなる。なお、「録画した映像のタイトルを指定するコマンド」は、画面上の録画済み映像のタイトル情報（アイコン）の一覧から所要のタイトル情報を選択・決定する操作に相当する。また、「チャプターを指定するコマンド」は、画面上のチャプター情報（アイコン）の一覧から所要のチャプター情報を選択・決定する操作に相当する。
また、この場合の訓練終了コマンドとしては、図６（ｂ）に示されるように「はい」ボタン指定コマンドとなる。
【００４１】
また、図７に示される「サムネイルを抽出」の場合の目的達成コマンド情報の内容は、図７（ａ）に示されるように、録画した映像のタイトルを指定するコマンド、「オプション」ボタン指定コマンド、「編集」ボタン指定コマンド、「サムネイル設定」ボタン指定コマンド、「早送り」ｏｒ「巻き戻し」コマンド、「確定」ボタン指定コマンドが同順で格納されたものとなる。なお、「早送り」ｏｒ「巻き戻し」コマンドは、例えばリモートコントローラ２２上に設けられた早送りキー、又は巻き戻しキーの操作に相当する。
また、この場合の訓練終了コマンドとしては、図７（ｂ）に示されるように「確定」ボタン指定コマンドとなる。
【００４２】
また、図８に示される「ＤＶＤ／ＢＤを再生」の場合の目的達成コマンド情報の内容としては、図８（ａ）に示すように「ＤＶＤ／ＢＤを再生」ボタン指定コマンドのみが格納されたものとなる。
また、この場合の訓練終了コマンドとしては、図８（ｂ）のように「ＤＶＤ／ＢＤを再生」ボタン指定コマンドとなる。
【００４３】
また、図９に示される「録画した映像を再生」の場合の目的達成コマンド情報の内容としては、図９（ａ）に示すように「録画した映像を再生」ボタン指定コマンドのみが格納されたものとなる。
また、この場合の訓練終了コマンドとしては、図９（ｂ）のように「録画した映像を再生」ボタン指定コマンドとなる。
【００４４】
ここで、操作訓練時において、ユーザは、目的動作（操作訓練項目）の指定後において、画面上に表示される各種のボタン等を利用して、目的動作を実行させるための操作を任意に行うことになる。
このようにユーザによる操作が行われることに伴い、映像記録再生装置１０に対しては、順次コマンド入力が行われる。システムコントローラ１９は、このように目的動作の指定後に入力されるコマンドを逐次メモリ２３に蓄積していくことで、ユーザ入力コマンド情報を生成する。
【００４５】
また、本実施の形態の映像記録再生装置１０では、このように目的動作の指定後に入力されるコマンドと、予め記憶された訓練終了コマンドの情報とに基づき、操作訓練を自動で終了するための判別処理を行うようにされている。
具体的に、システムコントローラ１９は、目的動作の指定後に入力されるコマンドの情報と、メモリ２３に予め記憶された訓練終了コマンドの情報とが一致するか否かを逐次判別し、各コマンドの情報が一致するか否かを判別する。
この判別の結果、各コマンドが一致していれば、操作訓練は終了となる。すなわち、コマンド入力の受け付けを終了し、次処理に移行する。
一方、各コマンドが一致していない場合には、引き続きコマンド入力の受け付けを行うことで、操作訓練を継続する。
なお、先の説明からも理解されるように、本実施の形態の場合、訓練終了コマンドとしては、目的達成コマンド情報における最後のコマンドを記憶しておくものとされている。
ここで、この説明からも理解されるように、操作訓練を自動終了させるにあたっては、入力コマンドと目的達成コマンド情報の最後のコマンドとが一致するか否かを逐次判別するといったこともでき、従って訓練終了コマンドの情報は、目的達成コマンド情報とは別途の情報として記憶させておく必要性はないものとなる。
【００４６】
上記による判別結果、各コマンドが一致するとされてコマンド入力の受け付けを終了した後には、ユーザ入力コマンド情報と、目的達成コマンド情報との対比結果をユーザに対して通知する。
本例の場合、対比結果の通知としては、正しい操作が行われたか否かについての通知、及び正しい操作が行われなかった場合は不一致箇所の通知を行う。さらに、正しい操作が行われなかった場合には、上記不一致箇所の通知に加え、不一致箇所の正しいコマンド入力順序の情報も通知するものとしている。
具体的に、例えばユーザ入力コマンド情報の内容が、目的達成コマンド情報の内容と一致する場合には、「正しい操作が行われました」等のメッセージデータを表示パネル部１６ａ上に表示させ、目的動作を実行させるための正しい操作が行われた旨の通知を行う。
【００４７】
ここで、このようなユーザ入力コマンド情報と目的達成コマンド情報との対比結果についての提示動作について、以下、具体例を挙げて説明する。
先ず、図４に示す「日時を指定して録画予約」が指定された場合について説明する。
この場合、図４（ａ）に示される正しいコマンドの入力順序が「日時予約」ボタン指定コマンド→「日時設定」ボタン指定コマンド→「予約確定」ボタン指定コマンドであるのに対し、ユーザによっては、図４（ｃ）に示すようにして「日時予約」ボタン指定コマンド→「録画先をＢＤに設定」ボタン指定コマンド→「予約確定」ボタン指定コマンドが入力されたことが示されている。
目的達成コマンド情報では、「日時予約」ボタン指定コマンドの後は「日時設定」ボタン指定コマンドとなっているのに対し、ユーザ入力コマンド情報では、「日時予約」ボタン指定コマンド後に「録画先をＢＤに設定」ボタン指定コマンドが格納されている。
従ってこの場合には、表示パネル部１６ａに、『あなたは「日時予約」操作の後に「録画先をＢＤに設定」操作を行いました。正しくは「日時予約」操作の後に「日時設定」操作を行って下さい。』等のメッセージデータを表示さて、ユーザに正しい操作との不一致箇所を通知すると共に、不一致箇所の正しいコマンドの入力順序を通知する。
【００４８】
また、図５に示される「番組表で録画予約」の場合、正しいコマンドの入力順は、図５（ａ）に示されるように「番組表を表示」ボタン指定コマンド→番組表内の番組を指定するコマンド→「予約確定」ボタン指定コマンドであるのに対し、ユーザによっては、図５（ｃ）に示されるように「番組表を表示」ボタン指定コマンド→番組表内の番組を指定するコマンド→「予約確定」ボタン指定コマンドが入力されたことが示されている。
この場合、ユーザ入力コマンド情報と目的達成コマンド情報の内容は一致しているので、「正しい操作が行われました」等のメッセージデータを表示パネル部１６ａ上に表示させることで、ユーザに目的動作を実行させるための正しい操作が行われた旨の通知を行う。
【００４９】
また、図６に示される「チャプターを消去」の場合、コマンドの正しい入力順は図６（ａ）に示されるように録画した映像のタイトルを指定するコマンド→「オプション」ボタン指定コマンド→「編集」ボタン指定コマンド→「チャプター消去」ボタン指定コマンド、チャプターを指定するコマンド→「確定」ボタン指定コマンド→「はい」ボタン指定コマンドとなる。これに対し、ユーザによっては、図６（ｃ）のように録画した映像のタイトルを指定するコマンド→「オプション」ボタン指定コマンド→「編集」ボタン指定コマンド→「チャプター消去」ボタン指定コマンド、チャプターを指定するコマンド→「確定」ボタン指定コマンド→「はい」ボタン指定コマンドの順でコマンドが入力されたものとなっている。
この場合としてもユーザ入力コマンド情報と目的達成コマンド情報の内容は一致しているので、目的動作を実行させるための正しい操作が行われた旨の通知を行う。
【００５０】
また、図７に示される「サムネイルを抽出」の場合、正しいコマンドの入力順は図７（ａ）に示されるように録画した映像のタイトルを指定するコマンド→「オプション」ボタン指定コマンド→「編集」ボタン指定コマンド→「サムネイル設定」ボタン指定コマンド→「早送り」ｏｒ「巻き戻し」コマンド→「確定」ボタン指定コマンドとなる。
これに対しユーザによっては、図７（ｃ）に示すように録画した映像のタイトルを指定するコマンド→「オプション」ボタン指定コマンド→「編集」ボタン指定コマンド→「サムネイル設定」ボタン指定コマンド→「確定」ボタン指定コマンドが入力されたものとなっている。
この場合、「サムネイル設定」ボタン指定コマンドの後は、正しくは「早送り」ｏｒ「巻き戻し」コマンド→「確定」ボタン指定コマンドであるのに対し、ユーザによっては、「サムネイル設定」ボタン指定コマンド→「確定」ボタン指定コマンドが入力されている。
従ってこの場合には、例えば『あなたは「サムネイル設定」操作の後に「確定」操作を行いました。正しくは「サムネイル設定」操作の後に「早送りｏｒ巻き戻しボタン入力」操作→「確定」操作を行って下さい。』等のメッセージデータを表示パネル部１６ａ上に表示させ、不一致箇所と、不一致箇所の正しいコマンドの入力順序とをユーザに通知する。
【００５１】
また、図８に示される「ＤＶＤ／ＢＤを再生」の場合、図８（ａ）に示す正しいコマンドの入力順序（この場合は１つのみである）「ＤＶＤ／ＢＤを再生」ボタン指定コマンドと、図８（ｃ）に示す実際のユーザによる入力コマンド「ＤＶＤ／ＢＤを再生」ボタン指定コマンドとが一致している。
従ってこの場合は目的動作を実行させるための正しい操作が行われた旨の通知を行う。
【００５２】
同様に、図９に示される「録画した映像を再生」の場合としても、図９（ａ）に示す正しいコマンド＝「録画した映像を再生」ボタン指定コマンドと、図９（ｃ）に示す実際のユーザによる入力コマンド「録画した映像を再生」ボタン指定コマンドとが一致しており、従ってこの場合としても、目的動作を実行させるための正しい操作が行われた旨の通知を行う。
【００５３】
上記により説明してきたように、本実施の形態の映像記録再生装置１０は、ユーザ操作に基づき入力されたコマンドを蓄積してユーザ入力コマンド情報を生成し、該ユーザ入力コマンド情報と、予め記憶された目的達成コマンド情報との対比結果をユーザに通知するものとしている。これにより、ユーザが実際に行った操作と目的動作を実行させるために必要な操作との対比結果を通知することができ、従ってこのような仕組みにより、目的動作実現のための正しい操作手順をユーザに覚えさせるための操作訓練を行うことができる。
この操作訓練を通して、ユーザは、説明書等を読まずとも目的動作を実行させるための正しい操作手順を容易に覚えることができ、結果、覚えるべき操作が複雑である場合にも、ユーザの負担を大幅に軽減することができる。
【００５４】
また、本実施の形態の映像記録再生装置１０によれば、１つの目的動作のみではなく、複数の目的動作についての操作訓練をユーザに行わせることができる。
【００５５】
また、本実施の形態では、訓練終了コマンドの情報と一致するコマンドが入力されることに応じて自動的に操作訓練を終了させるものとしているが、このことで、操作訓練の終了タイミングをユーザ操作により指示させる必要はなくなり、この点でもユーザの負担の軽減が図られる。
【００５６】
[処理手順]
【００５７】
続いて、上記により説明した本実施の形態としての動作を実現するための具体的な処理の手順について、次の図１０、図１１のフローチャートを参照して説明する。
なお、これら図１０、図１１のフローチャートでは、本実施の形態としての動作を実現するための具体的な処理の手順を、図１に示したシステムコントローラ１９がメモリ２３内に格納される操作訓練プログラム２３ａに基づき実行する処理の手順として示している。
【００５８】
先ず図１０において、システムコントローラ１９は、ステップＳ１０１において、操作訓練モードへの移行指示が行われるまで待機する処理を実行する。ここで、先の説明によれば、この場合の操作訓練モードへの移行は、機能メニュー画面から「操作訓練」の機能項目が指定されることに応じて行われるものとなっている。従ってステップＳ１０１では、上記機能メニュー画面の表示状態にて上記「操作訓練」の項目を指定する操作が行われるまで待機するようにされる。
【００５９】
そして、上記「操作訓練」の項目を指定する操作が行われ、操作訓練モードへの移行指示があったとした場合は、ステップＳ１０２において、操作訓練メニュー画面をディスプレイ装置１６に表示させる処理を実行する。つまり、先の図２に示した操作訓練メニュー画面としての表示画面データを映像信号処理部１５に供給して、該表示画面データに応じたビデオデータを映像出力端子Ｔoutを介してディスプレイ装置１６に対して供給させる。これによりディスプレイ装置１６の表示パネル部１６ａ上に操作訓練メニュー画面が表示されることになる。
【００６０】
次のステップＳ１０３、ステップＳ１０４、及びステップＳ１０５によっては、上記操作訓練メニュー画面上に表示される「録画訓練」「編集訓練」「再生訓練」の何れかの操作訓練項目（目的動作）を指定する操作が行われるまで待機するための一連の処理が形成される。つまり、ステップＳ１０３では、「録画訓練」ボタン３１ａを選択・決定する操作が行われた否かを判別し、「録画訓練」ボタン３１ａを選択・決定する操作が行われてはいないとして否定結果が得られた場合は、ステップＳ１０４において、「編集訓練」ボタン３１ｂを選択・決定する操作が行われた否かを判別する。そして、このステップＳ１０４において、「編集訓練」ボタン３１ｂを選択・決定する操作が行われてはいないとして否定結果が得られた場合は、ステップＳ１０５に進んで「再生訓練」ボタン３１ｃを選択・決定する操作が行われたか否かを判別し、「再生訓練」ボタン３１ｃを選択・決定する操作が行われてはいないとして否定結果が得られた場合は、ステップＳ１０３に戻るようにされる。
このようにして、図２の操作訓練メニュー画面上に表示される「録画訓練」「編集訓練」「再生訓練」の何れかの操作訓練項目（目的動作）を指定する操作が行われるまで待機する処理が形成されている。
【００６１】
そして、上記ステップＳ１０３において、「録画訓練」ボタン３１ａを選択・決定する操作が行われ、「録画訓練」の項目を指定する操作が行われたとの肯定結果が得られた場合は、ステップＳ１０６において、録画操作訓練メニュー画面をディスプレイ装置１６に表示させる処理を行う。つまり、図３（ａ）に示した録画操作訓練メニュー画面としての表示画面データを映像信号処理部１５に供給して、該表示画面データに応じたビデオデータを映像出力端子Ｔoutを介してディスプレイ装置１６に対して供給させる。
このステップＳ１０６の処理を実行すると、図１１に示されるステップＳ１０９に処理を進める。
【００６２】
また、上記ステップＳ１０４において、「編集訓練」ボタン３１ｂを選択・決定する操作が行われ、「編集訓練」の項目を指定する操作が行われたとの肯定結果が得られた場合は、ステップＳ１０７において、編集操作訓練メニュー画面をディスプレイ装置１６に表示させる処理を実行する。そしてその後、図１１のステップＳ１０９に処理を進める。
【００６３】
また、上記ステップＳ１０５において、「再生訓練」ボタン３１ｃを選択・決定する操作が行われ、「再生訓練」の項目を指定する操作が行われたとの肯定結果が得られた場合は、ステップＳ１０８において、再生操作訓練メニュー画面をディスプレイ装置１６に表示させる処理を実行する。そしてその後、図１１のステップＳ１０９へ進む。
【００６４】
図１１において、ステップＳ１０９では、何れかの項目が指定されたか否かを判別する。
すなわち、先のステップＳ１０６、又はステップＳ１０７、又はステップＳ１０８にて表示させた操作訓練メニュー画面（録画操作訓練メニュー画面、又は編集操作訓練メニュー画面、又は再生操作訓練メニュー画面）上の何れかの操作訓練項目を指定する操作が行われたか否かを判別するものである。具体的には、画面上の操作訓練項目ごとのボタンのうち何れかのボタンを選択・決定する操作が行われたか否かを判別するものとなる。
【００６５】
ステップＳ１０９において、何れかの操作訓練項目（つまり何れかの目的動作）を指定する操作が行われていないとして否定結果が得られた場合は、ステップＳ１１０に進み、「戻る」ボタンが選択・決定されたか否かを判別する。すなわち、図３に示した「戻る」ボタン３５を選択・決定する操作が行われたか否かを判別するものである。
このステップＳ１１０において、「戻る」ボタンを選択・決定する操作が行われたとして肯定結果が得られた場合は、先の図１０におけるステップＳ１０２に戻るようにされる。これにより、「戻る」の項目が指定されたことに応じて、画面上の表示が図２に示した操作訓練メニュー画面の表示に戻るようになっている。
また、ステップＳ１１０において、「戻る」ボタンを選択・決定する操作が行われていないとして否定結果が得られた場合は、ステップＳ１０９に戻るようにされる。
【００６６】
そして、上記ステップＳ１０９において、何れかの操作訓練項目（目的動作）を指定する操作が行われたとして肯定結果が得られた場合は、ステップＳ１１１において、コマンド入力を待機する。そして、コマンドの入力があった場合は、ステップＳ１１２において、入力されたコマンドを蓄積する処理を行う。すなわち、入力コマンドの情報を例えばメモリ２３に記憶する。このステップＳ１１２の蓄積処理がコマンドの入力ごとに逐次行われることで、ユーザ入力コマンド情報が生成される。
【００６７】
続くステップＳ１１３では、入力されたコマンドと訓練終了コマンドとが一致するか否かを判別する。すなわち、上記ステップＳ１１１で入力されたコマンドが、予めメモリ２３に記憶された各操作訓練項目ごとの訓練終了コマンドのうちのステップＳ１０９にて指定された操作訓練項目の訓練終了コマンドと一致するか否かを判別するものである。
このステップＳ１１３において、入力されたコマンドと訓練終了コマンドとが一致しないとの否定結果が得られた場合は、先のステップＳ１１１に戻るようにされる。つまり、この場合は操作訓練を終了すべき状態ではないことになるため、引き続きコマンド入力の受け付け状態を維持するようにされるものである。
【００６８】
また、上記ステップＳ１１３において、入力されたコマンドと訓練終了コマンドとが一致しているとの肯定結果が得られた場合は、ステップＳ１１４に進み、ユーザ入力コマンド情報が目的達成コマンド情報と一致しているか否かを判別する。
つまり、上記ステップＳ１１２の蓄積処理に伴い生成されるユーザ入力コマンド情報の内容と、予めメモリ２３に記憶されている各操作訓練項目ごとの目的達成コマンド情報のうちの上記ステップＳ１０９にて指定された操作訓練項目の目的達成コマンド情報の内容とが一致しているか否かを判別するものである。
【００６９】
ステップＳ１１４において、上記各コマンド情報の内容が一致しているとして肯定結果が得られた場合は、ステップＳ１１５に進み、正しい操作が行われた旨を通知するための処理を実行する。つまり、先に述べたようにして、例えば「正しい操作が行われました」等のメッセージデータ（画像データ）をディスプレイ装置１６に表示させることで、ユーザに目的動作を実行させるための正しい操作が行われた旨の通知が行われるようにする。
【００７０】
また、上記ステップＳ１１４において、上記コマンド情報の内容が一致していないとして否定結果が得られた場合は、ステップＳ１１６において、不一致箇所及び不一致箇所の正しいコマンド入力順序を通知するための処理を実行する。
なお、不一致箇所及び不一致箇所の正しいコマンド入力順序を通知するための具体的なメッセージデータの内容については、先に例示したものと同様とすればよい。
先に例示したように、本例の場合は、不一致箇所の通知にあたっては不一致箇所の前のコマンドが何であるかも通知するものとしているが、このことで、不一致箇所の特定がより容易にできるように図られている。
【００７１】
上記ステップＳ１１６、又は上記ステップＳ１１５の処理を実行すると、図１０、図１１に示される一連の処理は終了となる。
【００７２】
[変形例]
以上、本発明の各実施の形態について説明したが、本発明としてはこれまでに説明した具体例に限定されるべきものではない。
ここで、具体的な説明は避けたが、操作訓練時にコマンドの入力が行われた場合、実際には、システムコントローラ１９が入力コマンドに応じた演算・制御処理を行うことで、映像記録再生装置１０にて該入力コマンドに応じた動作が実行されることになる。例えば、録画操作訓練の場合であれば、「日時を指定して録画予約」の目的動作を実行させるための一連のコマンド入力が行われたことに応じては、実際にＨＨＤ１７に対して録画予約された放送番組としての映像コンテンツの記録が行われることになる。また、編集操作訓練の場合であれば、操作訓練時の入力コマンドに応じて編集処理された映像コンテンツのＨＤＤ１７に対する記録（上書き）が行われることになる。
但し、このことによると、ＨＤＤ１７には、操作訓練としての練習により記録された映像コンテンツと、操作訓練以外の通常使用時に記録された通常の映像コンテンツとが混在してしまうことになり、特に、編集操作訓練を行った場合には、練習として編集操作を行ったにもかかわらずその編集内容が通常の映像コンテンツに反映されてしまうなど、問題が生じる可能性がある。
そこで、操作訓練時のコマンド入力に伴い記録された映像コンテンツについては、訓練時のコンテンツとして、通常使用時のコンテンツとは区別されるようにして管理することもできる。図１２は、その概念図を示している。この図１２に示されるように、この場合のＨＤＤ１７としては、その記憶領域として、通常使用時における記録データについての記憶領域としての通常使用時記憶領域１７ａと、操作訓練時のコマンド入力に応じて記録すべきとなったデータについての記憶領域としての訓練用データ記憶領域１７ｂとを有するものとなる。
このような管理形態を実現するにあたっては、システムコントローラ１９が、少なくとも上記訓練用データ記憶領域１７ｂ内のデータであることを管理するための管理情報を生成するものとすればよい。システムコントローラ１９は、操作訓練モード下でＨＤＤ１７に記録させたデータについては、該データの識別情報（例えば記録したファイルのファイル名の情報や記録アドレスの情報など）を上記管理情報に追加する。これにより、訓練時の記録データについては訓練用の領域に区別して記録することができる。
このような領域分けを行うことで、通常使用時のデータと操作訓練時のデータとが混在して記録されてしまう場合に生じる虞のあるユーザの混乱を効果的に防止できる。
【００７３】
また、これまでの説明では、ユーザ入力コマンド情報と目的達成コマンド情報との対比結果の通知として、両コマンド情報が一致する場合には正しい操作が行われた旨の通知を行い、両コマンド情報が不一致であった場合は、不一致箇所・不一致箇所の正しいコマンド入力順序を通知するものとしたが、対比結果の通知内容としてはこれに限定されるべきものではない。例えば、単に両コマンド情報の内容をそのまま対比表示させるといったこともできる。
【００７４】
また、これまでの説明では、操作訓練項目（＝目的動作）として、図３（ａ）〜図３（ｃ）に示した６つの項目を例示したが、本発明において、目的動作はこれらのものに限定されるべきものでなく、他の目的動作についての操作訓練を行うようにすることもできる。
【００７５】
また、これまでの説明では、予め定められた訓練終了コマンドと一致するコマンドの入力に応じて、操作訓練を自動終了（つまり訓練としてのコマンド入力の受け付けの自動終了）するものとしたが、操作訓練の終了タイミングをユーザ操作により指示させるようにして、操作訓練が手動で終了されるようにすることもできる。
なおその場合は、例えば訓練操作モード下で表示される画面上に常時「訓練終了」ボタンを表示させるようにしておき、該「訓練終了」ボタンを選択・決定する操作が行われたことに応じて、操作訓練を終了するものとすればよい。
【００７６】
或いは、操作訓練の自動終了としては、訓練終了コマンドを用いる以外にも、例えば訓練開始時からの制限時間を設けて行うようにすることもできる。つまり、例えば目的動作の指定に応じてタイムカウントを開始し、その後所定時間長が経過した時点で操作訓練を自動終了するといったものである。
【００７７】
また、これまでの説明では、対比結果の通知は、表示画面を利用した画像表示により行う場合を例示したが、例えば音声出力など他の手法によって対比結果の通知を行うこともできる。
【００７８】
また、これまでの説明では、本発明がテレビジョン放送における放送番組の録画や再生を行う映像記録再生装置に適用される場合を例示したが、本発明としては、例えばテレビジョン受像機、パーソナルコンピュータ、ラジオ受信機など、ユーザ操作によって動作指示の行われる電子機器に対して広く好適に適用することができる。
【図面の簡単な説明】
【００７９】
【図１】本発明の実施の形態としての訓練装置の内部構成を示したブロック図である。
【図２】操作訓練メニュー画面の例を示した図である。
【図３】録画操作訓練メニュー画面、編集操作訓練メニュー画面、再生操作訓練メニュー画面の例を示した図である。
【図４】実施の形態としての操作訓練動作の具体例について説明するための図である。
【図５】実施の形態としての操作訓練動作の具体例について説明するための図である。
【図６】実施の形態としての操作訓練動作の具体例について説明するための図である。
【図７】実施の形態としての操作訓練動作の具体例について説明するための図である。
【図８】実施の形態としての操作訓練動作の具体例について説明するための図である。
【図９】実施の形態としての操作訓練動作の具体例について説明するための図である。
【図１０】実施の形態としての動作を実現するために行われるべき処理の手順を示したフローチャートである。
【図１１】実施の形態としての動作を実現するために行われるべき処理の手順を示したフローチャートである。
【図１２】変形例について説明する図である。
【符号の説明】
【００８０】
１０  映像記録再生装置、１１  チューナ部、１２  復調部、１３  ＤＥＭＵＸ、１４  ＭＰＥＧデコーダ、１５  映像信号処理部、１６  ディスプレイ装置、１６ａ  表示パネル部、１７  ＨＤＤ、１７ａ  通常使用時記憶領域、１７ｂ  訓練用データ記憶領域、１８  メディアドライブ、１９  システムコントローラ、２０  操作部、２１  受光部、２２  リモートコントローラ、２３  メモリ、２３ａ  操作訓練プログラム、２４  映像編集部、Ｔin  入力端子、Ｔout  映像出力端子
【図１】
0004640452.tif 000002
【図２】
0004640452.tif 000003
【図３】
0004640452.tif 000004
【図４】
0004640452.tif 000005
【図５】
0004640452.tif 000006
【図６】
0004640452.tif 000007
【図７】
0004640452.tif 000008
【図８】
0004640452.tif 000009
【図９】
0004640452.tif 000010
【図１０】
0004640452.tif 000011
【図１１】
0004640452.tif 000012
【図１２】
0004640452.tif 000013